(57)【要約】【課題】ユーザに対して適切なタイミングで適切なデータを送信することができる画像転送システムを実現する。【解決手段】写真シール機１からユーザ端末２００に対してサーバ１００にアクセスするためのアクセス情報が送信されるので、写真シール機１を現在使用し、ユーザ端末２００を所有しているユーザは、写真シール機１から自身の所有するユーザ端末２００に対して必要な情報が送信されていることを、ユーザ画像がサーバ１００に保存される前に確認することができる。さらに、ユーザ端末２００から識別情報を送信することで、写真シール機１を使用しているユーザは、写真シール機１上で識別情報を入力する必要なく、サーバ１００に対して識別情報を通知することができる。これによって、写真シール機１およびサーバ１００は、ユーザに対して適切なタイミングで適切なデータを送信することができる。【選択図】図１
2008191714.tif 000002
【特許請求の範囲】
【請求項１】
被写体を撮影した撮影画像に装飾画像を合成した合成画像を形成する写真撮影プリント装置と、上記写真撮影プリント装置から送信された合成画像を保存する画像保存サーバと、上記画像保存サーバに保存された合成画像を参照するユーザ端末とを備えた画像転送システムであって、
上記写真撮影プリント装置が、
ユーザを識別するための照合ＩＤを作成する照合ＩＤ作成手段と、
上記ユーザ端末に対して、上記照合ＩＤ、および、上記画像保存サーバにアクセスするためのアクセス情報を送信するアクセス情報送信手段と、
上記画像保存サーバに対して、上記照合ＩＤ、および、所定の上記ユーザ端末に対して送信する合成画像であるユーザ画像を送信する画像送信手段とを備え、
上記ユーザ端末が、
上記照合ＩＤ、および、上記アクセス情報を受信する受信手段と、
上記アクセス情報に基づいて、上記画像保存サーバに対して上記照合ＩＤ、および、上記ユーザ端末の識別情報を送信する送信手段とを備え、
上記画像保存サーバが、
上記写真撮影プリント装置から受信した上記照合ＩＤおよびユーザ画像と、上記ユーザ端末から受信した上記照合ＩＤおよび上記識別情報とに基づいて、上記ユーザ画像および上記識別情報を関連付けて保存する画像保存手段を備えることを特徴とする画像転送システム。
【請求項２】
上記画像保存サーバは、上記画像保存手段が上記ユーザ画像および上記識別情報を関連づけて保存した際に、該識別情報を保存したことをユーザに通知する通知情報を前記ユーザ端末へ送信する通知送信手段をさらに備えることを特徴とする請求項１に記載の画像転送システム。
【請求項３】
上記画像転送システムが、上記合成画像の転送を要求するユーザが、所定の複数のグループのいずれに属するかを判断する判断手段を備え、
上記写真撮影プリント装置の画像送信手段が、
上記判断手段の判断結果に基づいて、上記ユーザ画像のうち、該ユーザが属するグループに対応して送信する種類のユーザ画像を上記画像保存サーバに送信することを特徴とする請求項１または２に記載の画像転送システム。
【請求項４】
上記写真撮影プリント装置は、表示手段をさらに備え、
上記写真撮影プリント装置の送信手段は、上記アクセス情報をコード化したユーザ端末で読み取り可能なコードを上記表示手段に表示させ、
上記ユーザ端末は、撮影手段さらに備え、
上記ユーザ端末の受信手段は、上記写真撮影プリント装置の表示手段に表示されたユーザ端末で読み取り可能なコードを上記撮影手段によって撮影することで、上記アクセス情報を受信することを特徴とする請求項１から３のいずれか１項に記載の画像転送システム。
【請求項５】
上記ユーザ端末の送信手段は、上記識別情報として当該ユーザ端末のメールアドレスを用いることを特徴とする請求項１から４のいずれか１項に記載の画像転送システム。
【請求項６】
請求項１から５のいずれか１項に記載の画像転送システムで用いられる写真撮影プリント装置であって、
上記ユーザ端末に対して、上記アクセス情報を送信し、上記画像保存サーバに対して、上記ユーザ画像を送信することを特徴とする写真撮影プリント装置。
【請求項７】
請求項１から５のいずれか１項に記載の画像転送システムで用いられる画像保存サーバであって、
上記写真撮影プリント装置から上記ユーザ画像を受信し、上記ユーザ端末から上記識別情報を受信することを特徴とする画像保存サーバ。
【請求項８】
被写体を撮影した撮影画像に装飾画像を合成した合成画像を形成する写真撮影プリント装置と、上記写真撮影プリント装置から送信された合成画像を保存する画像保存サーバと、上記画像保存サーバに保存された合成画像を参照するユーザ端末とを備えた画像転送システムにおける画像転送方法であって、
上記写真撮影プリント装置において、
ユーザを識別するための照合ＩＤを作成するステップと、
上記ユーザ端末に対して、上記照合ＩＤ、および、上記画像保存サーバにアクセスするためのアクセス情報を送信するステップと、
上記画像保存サーバに対して、上記照合ＩＤ、および、所定の上記ユーザ端末に対して送信する合成画像であるユーザ画像を送信するステップを備え、
上記ユーザ端末において、
上記照合ＩＤ、および、上記アクセス情報を受信するステップと、
上記アクセス情報に基づいて、上記画像保存サーバに対して上記照合ＩＤ、および、上記ユーザ端末の識別情報を送信するステップとを備え
上記画像保存サーバにおいて、
上記写真撮影プリント装置から受信した上記照合ＩＤおよびユーザ画像と、上記ユーザ端末から受信した上記照合ＩＤおよび上記識別情報とに基づいて、上記ユーザ画像および上記識別情報を関連付けて保存するステップを備えることを特徴とする画像転送方法。
【請求項９】
被写体を撮影した撮影画像に装飾画像を合成した合成画像を形成する写真撮影プリント装置と、上記写真撮影プリント装置から送信された合成画像を保存する画像保存サーバと、上記画像保存サーバに保存された合成画像を参照するユーザ端末とを備えた画像転送システムで用いられる画像転送プログラムであって、
上記写真撮影プリント装置において、
ユーザを識別するための照合ＩＤを作成するステップと、
上記ユーザ端末に対して、上記照合ＩＤ、および、上記画像保存サーバにアクセスするためのアクセス情報を送信するステップと、
上記画像保存サーバに対して、上記照合ＩＤ、および、所定の上記ユーザ端末に対して送信する合成画像であるユーザ画像を送信するステップを備え、
上記ユーザ端末において、
上記照合ＩＤ、および、上記アクセス情報を受信するステップと、
上記アクセス情報に基づいて、上記画像保存サーバに対して上記照合ＩＤ、および、上記ユーザ端末の識別情報を送信するステップとを備え
上記画像保存サーバにおいて、
上記写真撮影プリント装置から受信した上記照合ＩＤおよびユーザ画像と、上記ユーザ端末から受信した上記照合ＩＤおよび上記識別情報とに基づいて、上記ユーザ画像および上記識別情報を関連付けて保存するステップを備えることを特徴とする画像転送プログラム。
【発明の詳細な説明】
【技術分野】
【０００１】
本発明は、撮影画像をユーザ端末から参照できるように画像保存サーバに転送して保存する画像転送システム、写真撮影プリント装置、画像保存サーバ、画像転送方法、画像転送プログラム、および記憶媒体に関するものである。
【背景技術】
【０００２】
ゲームセンターやアミューズメントパークなどの娯楽施設に設置されている写真シール機において、ユーザは自分の姿を撮影し、その撮影画像に落書を施して、編集画像を作成する。そして、シール紙にそれら編集画像を印刷し、入手して遊ぶ。最近は、通信技術の発達によって、編集画像（以降、画像データとする）を携帯端末（携帯電話等）に送信することもできる。ユーザは、それら画像を携帯端末の待受画面に設定するなどして、活用している。
【０００３】
上記の写真シール機では具体的に、（１）サーバが、写真シール機から、画像データを受信する、（２）ＷｅｂサーバのＵＲＬなどの画像データを保存するサーバ上の場所のアクセス情報を、サーバがユーザに通知する、（３）ユーザのアクセスを受け、サーバが画像データをダウンロードさせる、といった流れで実現されている（例えば、特許文献１参照）。
【０００４】
また、写真シール機と連動する会員専用サイトを準備し、会員登録を条件として、ユーザに、画像データをダウンロードさせるシステムも存在する（例えば、特許文献２参照）。
【０００５】
現在は、上記二種類の転送方法を併せ持つシステムが、主流になっている。具体的には、サイトの会員でなければ、写真シール機で作成した一部の画像データ（以下、非会員画像とする）のみダウンロードでき、会員であればその他の画像データ（以下、会員画像とする）を含めた、全ての画像をダウンロードできるというようなシステムで実現されている。
【特許文献１】特開２００１−３０９１０８号公報（２００１年１１月２日公開）
【特許文献２】特開２００１−３１３９１３号公報（２００１年１１月９日公開）
【発明の開示】
【発明が解決しようとする課題】
【０００６】
ところで、上記の画像転送システムにおいて、従来は、画像がサーバに保存され、画像を参照するためのアクセス情報が確定するまで、ユーザ端末に対して何の通知も届かなかった。さらに、画像のサイズや数が増加すると、サーバに画像が転送されて保存されるまでに時間が掛かり、その間、ユーザは正確にメールアドレスが入力されているか、といった不安を抱えた状態で待ちつづけなければならなかった。さらに、メールアドレスの入力が誤っていた場合、何の情報も届かないまま、長時間待たされるという問題が存在する。
【０００７】
本発明は、上記の問題点に鑑みてなされたものであり、その目的は、ユーザに対して適切なタイミングで適切なデータを送信することが可能な画像転送システムを実現することにある。
【課題を解決するための手段】
【０００８】
本発明に係る画像転送システムは、上記課題を解決するために、被写体を撮影した撮影画像に装飾画像を合成した合成画像を形成する写真撮影プリント装置と、上記写真撮影プリント装置から送信された合成画像を保存する画像保存サーバと、上記画像保存サーバに保存された合成画像を参照するユーザ端末とを備えた画像転送システムである。
【０００９】
上記写真撮影プリント装置が、ユーザを識別するための照合ＩＤを作成する照合ＩＤ作成手段と、上記ユーザ端末に対して、上記照合ＩＤ、および、上記画像保存サーバにアクセスするためのアクセス情報を送信するアクセス情報送信手段と、上記画像保存サーバに対して、上記照合ＩＤ、および、所定の上記ユーザ端末に対して送信する合成画像であるユーザ画像を送信する画像送信手段とを備えている。
【００１０】
上記ユーザ端末が、上記照合ＩＤ、および、上記アクセス情報を受信する受信手段と、上記アクセス情報に基づいて、上記画像保存サーバに対して上記照合ＩＤ、および、上記ユーザ端末の識別情報を送信する送信手段とを備えている。
【００１１】
上記画像保存サーバが、上記写真撮影プリント装置から受信した上記照合ＩＤおよびユーザ画像と、上記ユーザ端末から受信した上記照合ＩＤおよび上記識別情報とに基づいて、上記ユーザ画像および上記識別情報を関連付けて保存する画像保存手段を備えている。
【００１２】
上記の構成によれば、まず、写真シール撮影装置からユーザ端末に対して画像保存サーバにアクセスするためのアクセス情報が送信されるので、写真シール撮影装置を現在使用し、ユーザ端末を所有しているユーザは、写真シール撮影装置から自身の所有するユーザ端末に対して必要な情報が送信されていることを、ユーザ画像が画像保存サーバに保存される前に確認することができる。
【００１３】
さらに、ユーザ端末から識別情報を送信することで、写真シール撮影装置を使用しているユーザは、当該写真シール撮影装置上で識別情報を入力する必要なく、画像保存サーバに対して識別情報を通知することができる。
【００１４】
これによって、写真撮影シール装置および画像保存サーバは、ユーザに対して適切なタイミングで適切なデータを送信することができるという効果を奏する。
【００１５】
上記の画像転送システムでは、上記画像保存サーバは、上記画像保存手段が上記ユーザ画像および上記識別情報を関連づけて保存した際に、該識別情報を保存したことをユーザに通知する通知情報を前記ユーザ端末へ送信する通知送信手段をさらに備えることが好ましい。
【００１６】
上記の構成によれば、ユーザ画像および識別情報を保存した際にユーザに対して通知を行うことができる。従来、ユーザに対する通知は、写真撮影プリント装置かから画像保存サーバへのユーザ画像の転送が完了してから行われていた。そのため、例えば、ユーザ画像のサイズが大きい、写真プリント装置から画像保存サーバへの通信回線が混雑している、通信回線のトラブルが発生しているなどの理由でユーザ画像の転送が遅延した場合、ユーザに対して不安を与えるという問題が存在した。
【００１７】
しかしながら、上記の構成によれば、ユーザ画像の転送状態に関わらずに、より早いタイミングでユーザに対して通知を行うので、通知に時間がかかることによるユーザの不安を軽減することができるという効果を奏する。
【００１８】
上記の画像転送システムでは、上記画像転送システムが、上記合成画像の転送を要求するユーザが、所定の複数のグループのいずれに属するかを判断する判断手段を備え、上記写真撮影プリント装置の画像送信手段が、上記判断手段の判断結果に基づいて、上記ユーザ画像のうち、該ユーザが属するグループに対応して送信する種類のユーザ画像を上記画像保存サーバに送信することが好ましい。
【００１９】
上記の構成によれば、ユーザの属するグループに対応して、複数の種類の合成画像を画像保存サーバに転送するので、転送すべき全ての種類の合成画像が転送されるまで合成画像を参照するための画像保存サーバに対するアクセス情報をユーザ端末に送信することができないため、一つのグループに対して合成画像を送信する場合と比較して、ユーザ端末に必要な情報が伝えられるまでにさらに長い時間を要する。そのため、ユーザに対して適切なタイミングで適切なデータを送信することができるという効果がさらに高い。
【００２０】
上記の画像転送システムでは、上記写真撮影プリント装置は、表示手段をさらに備え、上記写真撮影プリント装置の送信手段は、上記アクセス情報をコード化したユーザ端末で読み取り可能なコードを上記表示手段に表示させ、上記ユーザ端末は、撮影手段さらに備え、上記ユーザ端末の受信手段は、上記写真撮影プリント装置の表示手段に表示されたユーザ端末で読み取り可能なコードを上記撮影手段によって撮影することで、上記アクセス情報を受信することが好ましい。
【００２１】
上記の構成によれば、写真撮影プリント装置の表示手段にアクセス情報をコード化したユーザ端末で読み取り可能なコードを表示し、ユーザ端末の撮影手段によってユーザ端末で読み取り可能なコードを撮影することでアクセス情報を受信することができるので、ユーザにメールアドレスなどの識別情報や、サーバにアクセスするためのアクセス情報などの情報を操作入力させる手間を省いて、必要な情報の送受信か可能である効果を奏する。
【００２２】
上記の画像転送システムでは、上記ユーザ端末の送信手段は、上記識別情報として当該ユーザ端末のメールアドレスを用いることが好ましい。
【００２３】
上記の構成によれば、ユーザ端末のメールアドレスをユーザ識別情報として用いるので、メールアドレスとは別の、例えば、会員番号やユーザＩＤなどのユーザ登録をユーザは行う必要なく、ユーザ端末に直接、連絡を送信することができるという効果を奏する。
【００２４】
上記の各手段を備えることで、上記画像転送システムで用いる写真撮影プリント装置および画像保存サーバを構成することができる。
【００２５】
本発明に係る画像転送方法は、上記課題を解決するために、被写体を撮影した撮影画像に装飾画像を合成した合成画像を形成する写真撮影プリント装置と、上記写真撮影プリント装置から送信された合成画像を保存する画像保存サーバと、上記画像保存サーバに保存された合成画像を参照するユーザ端末とを備えた画像転送システムで用いる画像転送方法である。
【００２６】
上記写真撮影プリント装置において、ユーザを識別するための照合ＩＤを作成するステップと、上記ユーザ端末に対して、上記照合ＩＤ、および、上記画像保存サーバにアクセスするためのアクセス情報を送信するステップと、上記画像保存サーバに対して、上記照合ＩＤ、および、所定の上記ユーザ端末に対して送信する合成画像であるユーザ画像を送信するステップとを備えている。
【００２７】
上記ユーザ端末において、上記照合ＩＤ、および、上記アクセス情報を受信するステップと、上記アクセス情報に基づいて、上記画像保存サーバに対して上記照合ＩＤ、および、上記ユーザ端末の識別情報を送信するステップとを備えている。
【００２８】
上記画像保存サーバにおいて、上記写真撮影プリント装置から受信した上記照合ＩＤおよびユーザ画像と、上記ユーザ端末から受信した上記照合ＩＤおよび上記識別情報とに基づいて、上記ユーザ画像および上記識別情報を関連付けて保存するステップを備えている。
【００２９】
上記の構成によれば、まず、写真シール撮影装置からユーザ端末に対して画像保存サーバにアクセスするためのアクセス情報が送信されるので、写真シール撮影装置を現在使用し、ユーザ端末を所有しているユーザは、写真シール撮影装置から自身の所有するユーザ端末に対して必要な情報が送信されていることを、ユーザ画像が画像保存サーバに保存される前に確認することができる。
【００３０】
さらに、ユーザ端末から識別情報を送信することで、写真シール撮影装置を使用しているユーザは、当該写真シール撮影装置上で識別情報を入力する必要なく、画像保存サーバに対して識別情報を通知することができる。
【００３１】
これによって、写真撮影シール装置および画像保存サーバは、ユーザに対して適切なタイミングで適切なデータを送信することができるという効果を奏する。
【００３２】
なお、上記画像転送システムは、コンピュータにより実現してもよい。この場合には、コンピュータを上記各ステップとして動作させることにより上記画像転送システムをコンピュータにて実現させる画像転送プログラムも、本発明の範疇に入る。
【００３３】
上記の構成によれば、画像転送プログラムを、コンピュータに読み取り実行させることによって、上記画像転送システムと同様の作用効果を実現することができる。
【発明の効果】
【００３４】
本発明に係る画像転送システムは、以上のように、被写体を撮影した撮影画像に装飾画像を合成した合成画像を形成する写真撮影プリント装置と、写真撮影プリント装置から送信された合成画像を保存する画像保存サーバと、画像保存サーバに保存された合成画像を参照するユーザ端末とを備えた画像転送システムである。
【００３５】
写真撮影プリント装置が、ユーザを識別するための照合ＩＤを作成する照合ＩＤ作成手段と、ユーザ端末に対して、照合ＩＤ、および、画像保存サーバにアクセスするためのアクセス情報を送信するアクセス情報送信手段と、画像保存サーバに対して、照合ＩＤ、および、所定のユーザ端末に対して送信する合成画像であるユーザ画像を送信する画像送信手段とを備えている。ユーザ端末が、照合ＩＤ、および、アクセス情報を受信する受信手段と、アクセス情報に基づいて、画像保存サーバに対して照合ＩＤ、および、ユーザ端末の識別情報を送信する送信手段とを備えている。画像保存サーバが、写真撮影プリント装置から受信した照合ＩＤおよびユーザ画像と、ユーザ端末から受信した照合ＩＤおよび識別情報とに基づいて、ユーザ画像および上記識別情報を関連付けて保存する画像保存手段を備えている。
【００３６】
上記の構成によって、ユーザは、写真シール撮影装置から自身の所有するユーザ端末に対して必要な情報が送信されていることを、ユーザ画像が画像保存サーバに保存される前に確認することができる。さらに、当該写真シール撮影装置上で識別情報を入力する必要なく、画像保存サーバに対して識別情報を通知することができる。これによって、写真撮影シール装置および画像保存サーバは、ユーザに対して適切なタイミングで適切なデータを送信することができるという効果を奏する。
【発明を実施するための最良の形態】
【００３７】
本発明の実施の一形態について図１〜図１５に基づいて説明すれば以下の通りである。
【００３８】
（システムの全体構成）
初めに本発明に係る画像転送システムの概略構成について説明する。図２は、本実施形態の画像転送システムの構成を示すブロック図である。画像転送システムは、図２に示すように、写真シール機（写真撮影プリント装置）１、サーバ（画像保存サーバ）１００、ユーザ端末２００を含んでいる。なお、通常、合成転送システムには複数の写真シール機１が含まれるが、単一の写真シール機１が含まれていてもよい。
【００３９】
サーバ１００には、さらに画像ＤＢサーバ（画像保存手段）１１０、ＷＥＢサーバ１２０、付加情報ファイルサーバ１３０、登録等処理サーバ１４０、ＦＴＰサーバ１５０、およびメールサーバ１６０を備えている。画像ＤＢサーバ１１０は、さらに会員画像ファイルサーバ１１２、非会員画像ファイルサーバ１１４、およびサムネイル画像ファイルサーバ１１６を備えている。シール機１およびＷＥＢサーバ１２０の詳細な構成については、後述する。
【００４０】
写真シール機１は、ユーザを写真撮影する機能（撮影機能）、その撮影画像に対して画像編集、いわゆる「落書き」等の装飾をユーザに行わせ、撮影画像に装飾画像を合成し合成画像を作成する処理を行う機能（編集機能）、できた合成画像をシール紙などのプリント紙にプリントする機能（プリント機能）を有する装置である。なお、これらの機能は全て必須であるものではなく、例えばプリント機能が省かれた構成とすることも可能である。さらに、写真シール機１は、サーバ１００を介して上記合成画像をユーザ端末（通信端末）２００に送信する機能を備えている。ここでは、ユーザからの入力を受け付けたメールアドレスと、合成画像情報を、サーバ１００に送信し、管理サーバシステムが、合成画像を指定のメールアドレスのユーザ端末２００に送信する。
【００４１】
なお、写真シール機１は、ユーザから料金を徴収することによって、上記のような機能をユーザに提供するようになっている。また、各機能に対して制限時間が設けられており、ユーザはこの制限時間内で各機能を利用することになる。
【００４２】
サーバ１００は、各写真シール機１から撮影画像に対して編集処理が行われた画像に関する合成画像情報、および、ユーザから入力されたメールアドレスの情報などを含む付加情報を受信する。また、ユーザ端末２００からのアクセスに応じて、上記合成画像のデータを該ユーザ端末２００に送信する処理を行うサーバシステムである。なお、サーバ１００は、一般には複数の写真シール機１に対して共通に設けられている装置であるが、サーバ１００を写真シール機１が兼用していてもよい。例えば、複数の写真撮影プリント装置の一台だけたサーバ１００と兼用され、それに、他の複数の写真撮影プリント装置が接続されていてもよい。
【００４３】
サーバ１００と各写真シール機１との間は、通信媒体によって通信接続されている。この通信媒体としては、例えば専用線接続などが挙げられるが、通信形態については特に限定されるものではない。また、サーバ１００と各ユーザ端末２００との間は、同様に通信媒体によって通信接続されている。この通信媒体としては、例えば無線電話網とインターネットとの組合せなどが挙げられるが、通信形態については特に限定されるものではない。
【００４４】
ユーザ端末２００は、例えば携帯電話網やＰＨＳ（登録商標：Personal Handyphone System）電話網などの無線電話網による電話機能を有するとともに、該無線電話網を用いたデータ通信機能（メール通信機能を含む）および情報処理機能を有する情報処理端末である。なお、本発明に適用される情報処理端末は、携帯電話機に限定されるものではなく、有線無線を問わずサーバ１００とデータ通信が可能であり、かつ情報処理を行うことが可能な情報処理端末であれば、どのような装置であってもよい。
【００４５】
また、本実施形態では、ユーザ端末２００のメールアドレスをユーザにより入力させるものとするが、例えば、写真シール機１がユーザ端末２００から直接読み取り可能に設けられていても構わない。この場合には、写真シール機１とユーザ端末２００が近距離無線通信を行うものとする。これらの装置には、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ａ，１１ｂ，１１ｇなどに準拠した無線ＬＡＮ（Ｌｏｃａｌ Ａｒｅａ Ｎｅｔｗｏｒｋ）モジュールやＢｌｕｅｔｏｏｔｈ（登録商標）モジュール、あるいは、赤外線を介しての通信を行うモジュールなどよりなる近距離通信部を有しており、互いに近距離無線通信を行うことが可能とされている。しかし、これに限定されず、写真シール機１とユーザ端末２００とは、例えばＵＳＢケーブル等の有線で接続される構成であってもかまわない。あるいは、近距離無線通信を行わず、例えば公衆電話回線、携帯電話回線、ＰＨＳ回線、インターネットなどで構成された広域ネットワークを介して接続するようになっていてもよい。
【００４６】
（合成画像通信システムの利用形態）
画像転送システムの利用形態について概略的に説明する。ユーザは、例えば娯楽施設などに設置されている写真シール機１を用いてゲームを行う。このゲームにおいて、ユーザは、写真撮影を行い、写真シール機１上で撮影画像に対する編集処理として、いわゆる落書きといった、撮影画像に装飾画像を書き込む処理を行う。この装飾や落書きなどの一環として、ユーザは、専用のペンで思い思いの絵や文字を書き込み、あるいはスタンプを選択してスタンプの模様を撮影画像に書き込む。この装飾画像については動画も含まれるが、これについては後段に詳細に説明する。
【００４７】
そして、撮影画像に装飾画像や、落書きなどを合成した合成画像を、写真シール機１がプリントして出力することで、ユーザは、そのプリント物をゲームの成果として得ることができる。また、画像転送システムでは、ユーザはユーザ端末２００に合成画像を送信することができる。この場合、ユーザがユーザ端末２００のメールアドレスを写真シール機１に入力することで、写真シール機１は、合成画像情報、および、付加情報をサーバ１００に送信する。ここでは、合成画像の所有者としての自己の識別情報として、また、サーバからの情報を受信するために、自己の携帯電話機のメールアドレスを登録するものとする。以上により、写真シール機１でのユーザのゲームは終了する。
【００４８】
サーバ１００は、写真シール機１から送られてくる合成画像情報、および、付加情報を互いに対応付けて記憶する。そして、サーバ１００は、ユーザのメールアドレスに対して、合成画像を取得することができるページのアドレス情報を示したメールを送信する。ユーザは、自己のユーザ端末２００を用いて、受信したメールに示されたアドレスのページにアクセスすることで該合成画像をユーザ端末２００において表示させることができる。また、表示させた合成画像をダウンロードすることもできる。
【００４９】
また、写真シール機１は、合成画像情報、および、付加情報をサーバ１００に送信する際、これらの対応付けを可能とする対応付け情報を送信データに含めることが好ましい。対応付け情報は、各情報のデータに含められて送信されてもよいし、各情報のデータとは別に送信されてもよい。
【００５０】
（管理サーバシステムの構成）
次に、サーバ１００の構成について、図２を参照しながらさらに詳細に説明する。同図に示すように、サーバ１００は、画像ＤＢサーバ１１０、ＷＥＢサーバ１２０、付加情報ファイルサーバ１３０、登録等処理サーバ１４０、ＦＴＰサーバ１５０、およびメールサーバ１６０を備えた構成となっている。
【００５１】
画像ＤＢサーバ１１０および付加情報ファイルサーバ１３０は、それぞれ登録等処理サーバ１４０から受信した情報に基づいてデータベースを構築し、該データベースを記録・保管するファイルサーバである。なお、画像ＤＢサーバ１１０および付加情報ファイルサーバ１３０は、このようにファイルサーバの形式で実現してもよいし、画像ファイル記録装置および付加情報記録装置として、登録等処理サーバ１４０が利用する記録媒体によって構成されてもよい。
【００５２】
また、画像ＤＢサーバ１１０では、例えば、各ユーザに対応するフォルダ内に、該ユーザに対応する合成画像情報を記録したデータベースが記録されることになる。なお、画像ＤＢサーバ１１０は、受信した合成画像情報で示される合成画像の画像サイズを縮小したサムネイル画像を生成し、このサムネイル画像を同じフォルダ内に格納するようにしてもよい。
【００５３】
ＷＥＢサーバ１２０は、ユーザ端末２００からのアクセスに対して、ＷＥＢページの形式で、画像ＤＢサーバ１１０に記録されている合成画像情報を提供するサーバ装置である。また、ＷＥＢサーバ１２０は、付加情報や画像特定情報を、付加情報ファイルサーバ１３０から読み込み、引き出す処理を行う。このＷＥＢサーバ１２０における処理の詳細については後述する。
【００５４】
付加情報ファイルサーバ１３０は、ユーザ識別情報であるメールアドレスを保存する。なお、メールアドレスと画像データは、ＩＤなどを用いて対応付けるものとする。
【００５５】
登録等処理サーバ１４０は、ＦＴＰサーバ１５０から受信した合成画像情報を画像ＤＢサーバ１１０に送信するとともに、付加情報を付加情報ファイルサーバ１３０に送信する処理を行う。ここで、登録等処理サーバ１４０は、付加情報を付加情報ファイルサーバ１３０に送信する際に、該付加情報に対応する合成画像情報を特定する画像特定情報も送信する。これにより、付加情報ファイルサーバ１３０には、ユーザ識別情報と、それに対応する合成画像情報を特定する画像特定情報との組合せの情報がデータベースとして記録されることになる。
【００５６】
また、登録等処理サーバ１４０は、付加情報に含まれるメールアドレスに対してＷＥＢサーバ１２０にアクセスするためのＵＲＬ（Uniform Resource Locator）情報（ＷＥＢアドレス）を記した電子メールを生成する処理を行う。生成した電子メールは、メールサーバ１６０に送られる。
【００５７】
具体的には、写真シール機１から送信されたデータを、画像データおよびメールアドレスに分類する。次に、会員であるかどうかというユーザが属するグループの判定をＷＥＢサーバ１２０内の照合部１２６で確認し、設定を行う。その後、受信した会員画像をサムネイルに変換する処理を行う。さらに、画像を保存した場所を示すＵＲＬ情報をアクセス情報として生成する。最後に、上記の手順で設定および生成した情報をユーザに送信するためのメールを生成する。
【００５８】
ＦＴＰサーバ１５０は、写真シール機１から送られてくる合成画像情報、および、付加情報を受信する処理を行うファイル転送サーバである。本実施形態では、写真シール機１との間でデータ通信を行う際のプロトコルとして、ＦＴＰ（File Transfer Protocol）が用いられることを想定しているが、特にこれに限定されるものではない。ＦＴＰサーバ１５０で受信されたデータは、登録等処理サーバ１４０に伝送される。なお、写真シール機１が広い地域にわたって多数設置されている場合には、ＦＴＰサーバ１５０を複数設けることによって、データ伝送処理を分散させるようにしてもよい。
【００５９】
メールサーバ１６０は、登録等処理サーバ１４０から受信したアクセス情報などをユーザ端末２００に送信する電子メールを送信する処理を行う。ここで指定されるメールアドレスは、基本的にはユーザ端末２００のメールアドレスであるので、メールサーバ１６０は、上記のメールをユーザ端末２００に対して送信することになる。
【００６０】
なお、本実施形態では、サーバ１００が、複数のサーバ装置、すなわち、画像ＤＢサーバ１１０、ＷＥＢサーバ１２０、付加情報ファイルサーバ１３０、登録等処理サーバ１４０、ＦＴＰサーバ１５０、およびメールサーバ１６０を備えた構成となっているが、これらのサーバ装置のうち、複数のサーバ装置によって実現される機能が、１つのサーバ装置が有する機能によって実現される構成としてもよい。
【００６１】
（ＷＥＢサーバの構成）
次に、ＷＥＢサーバ１２０の構成について図３を参照しながら以下に説明する。同図に示すように、ＷＥＢサーバ１２０は、会員登録部１２２、登録会員ＤＢ１２４、照合部１２６、データ取得部１２８、およびＷＥＢサーバ処理部１２９を備えた構成となっている。
【００６２】
なお、本実施形態では登録会員ＤＢ１２４をＷＥＢサーバ１２０に備えた構成について説明するが、これに限るものではない。写真シール機１が登録会員ＤＢ１２４を備える構成であってもよいし、写真シール機１およびＷＥＢサーバ１２０が共に登録会員ＤＢ１２４を備える構成であってもよい。
【００６３】
会員登録部１２２は、登録会員ＤＢ１２４にユーザ情報、具体的には、当該ユーザが会員に属するか、非会員であるかといったユーザが所属するグループを識別するためのユーザ識別情報を記録する。ユーザが会員登録を希望した場合、１）会員登録部１２２で会員登録フォームを作成し、２）正しくフォームが入力された場合に、登録等処理サーバ１４０に通知し、新規の登録内容を登録会員ＤＢ１２４に格納する。
【００６４】
なお、本実施形態ではユーザ識別情報として、ユーザが所有するユーザ端末２００で参照できるメールアドレスを例に説明するが、これに限るものではない。
【００６５】
登録会員ＤＢ１２４には、メールアドレスなどのユーザ識別情報およびユーザが属するグループの情報が対応付けられて格納されている。例えば、メールアドレスおよびグループが１対１で対応付けられたテーブルに格納されていてもよいし、会員、会員予定、および非会員といった複数のフォルダにメールアドレスが保存されていてもよい。また、ハッシュ関数によって圧縮されたメールアドレスの集合で、１つのハッシュ値に対して複数のメールアドレスが対応付けられていてもよい。
【００６６】
照合部１２６は、登録会員ＤＢ１２４参照して、入力されたメールアドレスがどのグループに属しているかを判断する。なお、照合部１２６も写真シール機１が登録会員ＤＢ１２４を備える構成であってもよいし、写真シール機１およびＷＥＢサーバ１２０が共に登録会員ＤＢ１２４を備える構成であってもよい。また、メールアドレスが登録されている場合には会員、そうでない場合には非会員と判断してもよい。
【００６７】
データ取得部１２８は、ＷＥＢサーバ処理部１２９によるＷＥＢページの提供に必要とされる合成画像情報および付加情報、および、会員登録部１２２による会員登録処理に必要とされるユーザ情報を、画像ＤＢサーバ１１０および付加情報ファイルサーバ１３０から取得する処理を行う。
【００６８】
ＷＥＢサーバ処理部１２９は、インターネット上でＷＥＢページを提供する処理を行う。具体的には、ＷＥＢサーバ処理部１２９は、ユーザ端末２００からのＷＥＢアクセスに応じて、合成画像データの提供に関するＷＥＢページのページデータを送信するとともに、合成画像データの提供に必要とされる情報をユーザ端末２００から受け付ける処理を行う。このユーザ端末２００から受け付ける合成画像データの提供に必要とされる情報とは、ユーザ端末２００で実行できるオプション処理の情報等の、携帯電話機の機種の情報である。
【００６９】
（写真撮影プリント装置の機能的構成）
次に、上記写真シール機１の機能的な構成について、図４に示すブロック図を参照しながら説明する。本発明の写真シール機１は、図４に示すとおり、撮影部２、編集部３、印刷部４、制御部１０、および、記録部５０を備えた構成となっている。
【００７０】
制御部１０は、写真シール機１が備える上述の各部の動作を統括的に制御するものである。制御部１０の詳細な構成については後段で詳細に説明する。この制御部１０は、例えばＰＣ（personal computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１０がインターネットなどの通信ネットワークに接続された構成とする場合、この通信ネットワークを介して上記プログラムをダウンロードしてハードディスクなどにインストールして実行する形態なども考えられる。
【００７１】
写真シール機１は、上記したハードディスクなどの不揮発性の記憶装置によって構成される記録部５０を備える。この記録部５０に記憶される内容としては、撮影部２にて撮影した撮影画像、編集用画像、合成画像情報、印刷画像、および機種情報データベース、が挙げられる。これらについては後段で説明する。さらに、記録部５０には、上記制御プログラム、ＯＳ（Operating System）プログラム、その他の各種プログラム、カメラ部２３における動作設定値、撮影画像および編集画像の画像データなどが記録される。カメラ部２３における動作設定値としては、写真シール機１の出荷時やメンテナンス時などに設定されるホワイトバランスの値、撮影画像の明暗などを調整する際の画像処理に関する各種パラメータ値などが挙げられる。
【００７２】
撮影部２は、撮影工程を実行するものであり、硬貨処理部２１、照明部２２、カメラ部２３、撮影画像表示部２４、カメラ画像表示部２５、および、操作部２６により構成されている。なお、ここには図示しないが、撮影部２には、ユーザにある動作を促すよう音声案内を行うための音声出力部が含まれていてもよい。
【００７３】
硬貨処理部２１は、ユーザから料金の徴収を行う際の硬貨投入／返却処理を行うものである。所定の硬貨が投入されたと判定すると、制御部１０に通知する。そして、制御部１０は、硬貨処理部２１からの通知を受け取ると、課金処理を行う。すなわち、制御部１０は、硬貨処理部２１からの通知をカウントし、ユーザが投入した金額に応じて、ユーザに対する各種動作を制御する。
【００７４】
照明部２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００７５】
カメラ部２３は、主にユーザを被写体として写真撮影を行うものであり、例えばレンズ群、絞り、ＣＣＤ（charge coupled device）撮像素子などを備えたデジタルカメラによって構成される。カメラ部２３は、全身撮影とクローズアップ撮影との両方に対応できるように、例えば使用するレンズ群および絞りを切り替えられるような構成となっている。
【００７６】
撮影画像表示部２４は、ユーザにユーザインターフェイスを提供するものであり、各種画像や各種操作ボタン等を表示する。撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。
【００７７】
カメラ画像表示部２５は、カメラ部２３がとらえるリアルタイムの映像、すなわち、撮影前のライブビュー画像を表示するものである。カメラ画像表示部２５にライブビュー画像を表示することにより、ユーザは前もって写りを確認して撮影に臨むことができる。なお、撮影画像表示部２４とカメラ画像表示部２５とが同一のものとして設けられていてもかわまない。
【００７８】
操作部２６は、写真シール機１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指、または、タッチペンなどのポインティングデバイスなどにより押下されることにより、その位置に対応するボタンや画像を示す指示信号が、写真シール機１内部に入力される。
【００７９】
なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００８０】
編集部３は、編集工程を実行するものであり、タッチパネル部３１およびタッチペン３２により構成されている。編集部３には、さらに、音声出力部３３が含まれていてもよい。
【００８１】
タッチパネル部３１は、ユーザにユーザインターフェイスを提供するものであり、編集画像表示部３１ａおよび操作受付部３１ｂにより構成される。編集画像表示部３１ａは、編集工程における編集の対象となる画像（編集対象画像）や、撮影画像に編集を施した結果（合成画像）を表示するものである。操作受付部３１ｂは、タッチペンなどのポインティングデバイスを用いることにより入力されたユーザの指示信号を受け付けて、写真シール機１内部に伝達するものである。
【００８２】
タッチペン３２は、画像編集処理などにおいて、タッチパネル部（所属情報入力手段）３１上で細かな操作入力をユーザが行うためのものであり、タッチパネル部３１の近くに配備される。ユーザは、このタッチペン３２をタッチパネル部３１に接触または接近させることによって、処理の進行に応じて表示されるボタンを選択したり、落書きなどの画像描画を行ったりすることができる。例えば、タッチパネル部３１の画面がタッチペン３２で押下されることにより、その位置に対応するボタンや画像を示す指示信号が、写真シール機１内部に入力される。これにより、ユーザは、撮影画像に落書きを施したり、スタンプを押したり、また、印刷の対象となる印刷対象画像を選択したりすることができる。
【００８３】
なお、本実施形態では、複数のユーザが容易に画像編集を行うようにするために、タッチペン３２を２本配備しているが、構成の簡略化のために、１本のみを配備することもできるし、３人以上のユーザのために、３本以上を配備することもできる。同様に、タッチペン３２を複数個配備することもできる。
【００８４】
音声出力部３３は、各種操作上のガイダンス音声や効果音などを出力するものであり、写真シール機１の適所に配備される。この音声出力部３３としては、例えばスピーカが用いられる。
【００８５】
印刷部４は、印刷対象として選択された撮影画像および／または編集画像を印刷することにより印刷工程を実行するものであり、ＩＤタグリーダ／ライタ部４１、および、プリンタ部４２により構成されている。この印刷部４に対して、写真プリントの出力媒体となるシール紙１４２と、ＩＤタグ１４１とが、シール紙ユニット４３としてセットで納入されるようになっている。
【００８６】
プリンタ部４２は、出力すべき画像データが制御部１０から送られてくると、その画像データに基づいてシール紙１４２に印刷するものである。このプリンタ部４２としては、例えば昇華型プリンタが用いられる。なお、昇華型プリンタを用いる場合には、シール紙１４２およびＩＤタグ１４１に加えて、昇華型用インクフィルムがセットととなって納入されることになる。
【００８７】
ＩＤタグリーダ／ライタ部４１は、ＩＤタグ１４１に記録されている各種識別情報を読み出して制御部１０に出力する。ＩＤタグ１４１は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００８８】
制御部１０は、ＩＤタグリーダ／ライタ部４１で読み取った識別情報に基づいて、装着されたシール紙１４２およびインクフィルムが、当該写真シール機１において利用可能なものであるかを判定し、利用可能である場合にのみプリンタ部４２を動作可能とする。すなわち、写真シール機１において指定されているシール紙１４２およびインクフィルム以外は使用できないように設定されていることになる。
【００８９】
また、ＩＤタグ１４１に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。なお、用紙枚数をカウントダウンする際には、ＩＤタグ１４１に記録されている用紙枚数情報も書き換えることが望ましい。これにより、用紙を使い切った場合には、ＩＤタグ１４１に記録されている用紙枚数情報も０となり、このＩＤタグ１４１を無効にすることが可能となる。また、ＩＤタグ１４１に記録されている用紙種類情報や、インク固有の色情報を読み出すことによって、これらを考慮して画像データの色成分などを補正することにより、そのシール紙１４２やインクフィルムに的確な画像出力を行うことが可能となる。
【００９０】
ＩＤタグ１４１としては、無線やワイヤレスなどによりデータ通信を行うことが可能な非接触型ＩＤタグと、端子が設けられた接触型ＩＤタグとがあり、ＩＤタグリーダ／ライタ部４１としては、これらの何れか一方あるいは両方に対応したものとなる。
【００９１】
なお、上述の例では、利用可能なシール紙１４２であるか否かを確認するために、ＩＤタグ１４１を利用しているが、これに限定されるものではなく、例えば、シール紙１４２およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００９２】
なお、本実施形態では、シール紙１４２として、粘着シートおよび該粘着シートの粘着面に貼り付けられている剥離シートからなるシールシートを想定しているが、これに限定されない。シール紙１４２の代わりに、通常の紙状媒体である紙状シートを用いるように本発明の写真シール機１を構成することもできる。
【００９３】
また、本発明の写真シール機１は、カーテン部２７を備えていてもよい。カーテン部２７は、撮影画像の背景となるカーテンを提供するものである。カーテンは、さまざまな色や模様を施されたものが用意され、撮影時に、ユーザが自由に選択できたり、写真シール機１が自動で選択したりする。これら複数のカーテンは、撮影空間の背面（撮影部２の対面）に重ねて配置されており（図１３（ａ）参照）、撮影時には、選択されたカーテンが、被写体の背後に写るよう、最前面に設置される。選択されたカーテンの設置は、制御部１０の背景制御部１５がカーテン部２７を制御することにより実行してもよいし、ユーザ自身が手動で行う構成としてもよい。なお、本実施形態では、カーテン部２７が複数のカーテンを提供する構成としたが、これに限定されない。カーテン部２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００９４】
次に、写真シール機１の制御部１０および記録部５０についてより詳細に説明する。図４に示すとおり、制御部１０は、撮影画像取得部１１、画像編集部１２、印刷画像作成部１３、通信処理部（アクセス情報送信手段、画像送信手段）１４、背景制御部１５、オプション判別部１６、提示制御部１７、および画像検索部２０を有している。なお、背景制御部１５については、上記した通りであるので、ここでは説明を省略する。
【００９５】
記録部５０は、撮影画像を記録する撮影画像記録部５１、画像編集において提供される、背景画像、フレーム画像、スタンプ画像などの編集用画像を記録する編集用画像記録部５２、編集画像に関する情報を記録する合成画像情報記録部５３、印刷画像を記録する印刷画像記録部５４、サムネイル記憶部５５、および、メールアドレス記憶部５６を含んでいる。
【００９６】
撮影画像取得部１１は、被写体の撮影によって作成された撮影画像をカメラ部２３から取得するものである。撮影画像取得部１１は、取得した撮影画像を撮影画像記録部５１に記録する。
【００９７】
画像編集部１２は、ユーザの操作にしたがって、撮影画像に対し画像編集を実行するものである。画像編集の例としては、編集用画像記録部５２から読み出した背景画像および／またはフレーム画像を追加したり、編集用画像記録部５２から読み出したスタンプ画像を任意の位置に追加したり、タッチペンによる、いわゆる落書きを追加したりして、撮影画像に装飾を行う（撮影画像に装飾画像を合成する）ことが挙げられる。これら装飾画像（背景画像、フレーム画像、スタンプ画像、ペン画像）は動画として編集画像表示部３１ａに表示させることもできる。
【００９８】
しかしながら、画像編集は、上述した例に限定されず、写真シール機１に接続された何らかの入力手段（操作部）をユーザが操作することによって、編集が実行され、当初の撮影画像に装飾が行われ、変更が加えられた結果としての合成画像（撮影画像に装飾画像が合成されたもの）を得られる編集であれば、どのような処理内容であってもよい。
【００９９】
そして、画像編集部１２は、合成画像（編集画像）を記録する代わりに、合成画像に関する情報である合成画像情報を合成画像情報記録部５３に記録する。合成画像情報としては、撮影画像の識別情報、背景画像およびフレーム画像の識別情報、スタンプ画像の識別情報と位置情報、ペン画像、上記画像編集にて装飾画像が動画像として編集された場合には装飾画像を動画像として表示させるための情報、その他各種の属性情報などが挙げられる。なお、本実施形態では、画像編集部１２は、ユーザの指示に基づいて編集画像処理を行う以外に、作成した合成画像をサムネイル化する処理も行うものとする。
【０１００】
印刷画像作成部１３は、複数の分割領域のそれぞれに、該分割領域のサイズに合わせた合成画像を配置した印刷画像を作成するものである。印刷画像における合成画像のサイズおよび配置は、通常、ユーザが複数のパターンの中から１つを選択することによって決定されるが、ユーザが自由に決定してもよいし、写真シール機１がランダムに決定してもよい。印刷画像作成部１３は、作成した印刷画像記録部５４に記録する。そして、制御部１０は、適当なタイミングで印刷画像記録部５４に記録された印刷画像をシール紙１４２に印刷するようにプリンタ部４２に指示する。
【０１０１】
オプション判別部１６は、装飾画像に対して施された処理であるオプション処理の種類を判別する。ここで、オプション処理とは、上記画像編集にて装飾画像が動画像として編集された場合には、装飾画像を動画像として表示させる処理を指す。また、本画像転送システムでは、合成画像をユーザ端末２００にサーバ１００を介して送信する際に、編集処理した以外の他の装飾画像が付加できるようになっているものとする。例えば、ユーザ端末２００での表示において、ヤギが手紙を持ってくる動画が初めに表示されその後に写真シール機１で作成した合成画像が表示されるようになっている場合、このヤギが手紙を持ってくる動画が付加される他の装飾画像である。もちろん、動画に限定されない。他にも例えば、動画（または静止画）フレームが他の装飾画像の例として挙げられるが、もちろんこれらには限定されない。このような他の装飾画像を付加する場合、写真シール機１にて、ユーザは、他の装飾画像を付加することを選択できるようになっており、他の装飾画像が付加される処理がオプション処理となる。
【０１０２】
提示制御部１７は、オプション判別部１６にて判別されたオプション処理の種類のうち、ユーザが入力したメールアドレスのユーザ端末２００にて実行可能な種類のオプション処理を施した状態で、編集処理で作成した合成画像を、編集画像表示部３１ａにて表示する。このとき、提示制御部１７は、ユーザが入力したメールアドレスの携帯電話機の機種の機種情報を取得することにより、ユーザによって指定された種類の通信端末にて実行可能なオプション処理の種類を特定する。
【０１０３】
本実施形態では、提示制御部１７は、ユーザ端末２００への送信時に付加される他の装飾画像（例えばヤギが手紙を持ってくる動画像、動画フレーム等）は、全てはなく、間引いた画像を表示させるのみとする。このように表示されると写真シール機１のデータ保存量を抑えることができる。
【０１０４】
通信処理部１４は、通信インタフェースを介してサーバ１００との通信処理を実行するものである。この通信処理部１４は、合成画像情報（本実施形態では、この合成画像情報に含まれる撮影画像の識別情報が指定する撮影画像も含むものとする）、および付加情報の送受信処理を実行する。
【０１０５】
さらに、通信処理部１４は、オプション判別部１６で判別されたオプション処理の種類に関するオプション情報を、サーバ１００に送信する。ここでは、オプション情報は合成画像情報に含めて送信するものとするが、撮影画像（あるいは合成画像）に対応付けられて送信されるのであれば、どのように送信されても構わない。
【０１０６】
以上のように、本実施形態の写真シール機１では、撮影画像に合成される装飾画像に対して施された処理であるオプション処理の種類を判別し、合成画像をユーザによって指定された種類の通信端末にて実行可能なオプション処理を施した状態で、ユーザに提示する。よって、写真シール機１にてユーザによって指定された種類の通信端末にて合成画像が表示される状態で、合成画像をユーザに提示することができる。
【０１０７】
これにより、ユーザはメールアドレスを入力することで指定したユーザ端末２００で合成画像を閲覧した際には、写真シール機１で作成したものと相違がないため、違和感なく合成画像を閲覧することができる。さらに、写真シール機１では、判別されたオプション処理の種類に関するオプション情報を、撮影画像に対応付けてサーバ１００に送信する。サーバ１００では、ユーザ端末２００の機種に応じて合成画像を送信するようになっていると、この合成画像を、ユーザによって指定された種類のユーザ端末２００の種類のユーザ端末２００にサーバ１００を介して転送した場合でも、サーバ１００は、そのユーザ端末２００の機種に適した状態で合成画像を提供できる。よって、ユーザのユーザ端末２００よりも、サーバ１００を介しての転送先のユーザ端末２００が高度の処理機能を有するものであったとしても、転送先の携帯電話機と同じ処理機能で合成画像が作成されていれば、転送先のユーザ端末２００では、その高度の機能に合わせて合成画像を提示することができる。
【０１０８】
画像検索部２０は、サーバ１００から送信された転送信号およびメールアドレスに基づいて、サーバ１００に転送する画像の検索を行う。具体的には、メールアドレス記憶部５６を検索することで、メールアドレスまたは転送信号に対応する画像を合成画像情報記録部５３およびサムネイル記憶部５５から読み出し、ＷＥＢサーバ１２０へ転送する。
【０１０９】
（画像転送システム全体におけるデータおよび処理の流れ）
上記構成において、画像転送システム全体におけるデータの流れを、図１に基づき説明すると、以下の通りである。
【０１１０】
なお、本実施形態では、ユーザ端末で読み取り可能なコードとしてＱＲコード（登録商標）を例に説明するが、これに限るものではない。従来のバーコードや２次元バーコード、コードを埋め込んだ暗号化画像を用いる構成や、文字列自体を撮影手段で取り込み、ＯＣＲ（OpticalCharactorReader）などの技術を使用してコード化された情報の内容を読み取る構成であってもよい。また、可視光線や赤外線などの光や、音声の音階や音色などを所定の周期で変化させながら写真シール機１から出力し、ユーザ端末２００の入力デバイスで取り込む構成であってもよい。写真シール機１からユーザ端末２００へ必要な情報を転送できれば、どのようなコードおよび通信手段を用いてもよい。
【０１１１】
Ｓ１０１において、写真シール機１は、サーバ１００のメールアドレスおよび照合ＩＤを送信する。なお、サーバのメールアドレスや照合ＩＤは、ＱＲコード（登録商標）の形式でユーザ端末２００に読み取らせてもよいし、その他の方法でユーザ端末に転送してもよい。Ｓ１０２において、ユーザ端末２００は、写真シール機１から受信した照合ＩＤと、ユーザ端末２００に設定されたメールアドレスとをサーバ１００に対して送信する。
【０１１２】
Ｓ１０３において、サーバ１００は、ユーザ端末２００から受信したメールアドレスおよび照合ＩＤを付加情報ファイルサーバ１３０に記録する。Ｓ１０４において、Ｓ１０１の送信処理を終えた写真シール機１は、非会員画像および照合ＩＤをサーバ１００に送信する。サーバ１００は送信された非会員画像および照合ＩＤを受け取り、照合ＩＤおよび画像データを関連付けて記録する。
【０１１３】
Ｓ１０５において、サーバ１００のＷＥＢサーバ１２０は、受信したメールアドレスと、付加情報ファイルサーバ１３０に付加情報として記録されているメールアドレスとを比較して、ユーザの照合を行う。照合の結果、一致するメールアドレスが存在した場合（Ｓ１０６でＹＥＳ）、処理はＳ１０７へ進む。一致するメールアドレスが存在しない場合（Ｓ１０６でＮＯ）、処理はＳ１０８へ進む。
【０１１４】
１４０７において、登録等処理サーバ１４０は、ＦＴＰサーバ１５０を介して写真シール機１に会員画像の転送を指示する転送信号および照合ＩＤを送信する。Ｓ１０８において、登録等処理サーバ１４０は、ＦＴＰサーバ１５０を介してサムネイル画像の転送を指示する転送信号および照合ＩＤを送信する。それぞれに対応する転送信号および照合ＩＤ送信後、処理はＳ１０９に進む。
【０１１５】
Ｓ１０９において、写真シール機１はサーバ１００から照合ＩＤおよび転送信号を受信し、写真シール機１の画像検索部２０は、照合ＩＤに基づいて対応するユーザの画像の検索を行う。Ｓ１１０において、写真シール機１は検索した画像をサーバ１００に送信する。
【０１１６】
Ｓ１１１において、サーバ１００の登録等処理サーバ１４０は、画像ＤＢサーバ１１０の対応する画像を保存するファイルサーバに受信した画像を保存する。Ｓ１１０において、登録等処理サーバ１４０は、保存した画像にアクセスするためのＵＲＬをアクセス情報として作成し、メールサーバ１６０を介してユーザ端末２００に送信する。
【０１１７】
Ｓ１１２において、ユーザ端末２００はＳ１１０で送信されたメールを参照し、画像にアクセスするためのＵＲＬを受信する。Ｓ１１２において、ユーザはユーザ端末２００に備えられたブラウザアプリケーション等を用いてネットワークに接続して、受信したＵＲＬを参照する。
【０１１８】
Ｓ１１３において、サーバ１００のＷＥＢサーバ１２０は、ユーザ端末２００によるＵＲＬの参照に対して応答を行う。具体的には、Ｓ１１７およびＳ１１８における画像情報をＷＥＢサーバ１２０によるウェブサイトの画面としてユーザ端末２００に送信する。Ｓ１１６において、ＷＥＢサーバ１２０の照合部１２６は、ＵＲＬを参照したユーザが会員か否かを判断する。
【０１１９】
ユーザが会員であった場合（Ｓ１１６でＹＥＳ）、ＷＥＢサーバ１２０は会員画像および非会員画像の両方をユーザ端末２００に送信する（Ｓ１１７）。処理はＳ１１９に進む。ユーザが会員でなかった場合（Ｓ１１６でＮＯ）、ＷＥＢサーバ１２０は非会員画像、サムネイル画像、および入会の意志を確認するための入会確認画面をユーザ端末２００に送信する（Ｓ１１８）。処理はＳ１２０に進む。
【０１２０】
Ｓ１１９において、ユーザ端末２００は、会員画像および非会員画像を受信し、画像転送処理を終了する。Ｓ１２０において、ユーザ端末２００は、非会員画像、サムネイル画像、および入会確認画面を受信する。Ｓ１２１において、ユーザが入会を希望する場合（Ｓ１２１でＹＥＳ）、入会意志を伝えるフォーム入力をＷＥＢサーバ１２０に送信し、処理はＳ１２２に進む。ユーザが入会を希望しない場合（Ｓ１２１でＮＯ）、画像転送処理は終了する。
【０１２１】
Ｓ１２２において、サーバ１００のＷＥＢサーバ１２０は、ユーザ端末２００からフォーム入力による入会意志を受信し、会員登録用のフォームデータをユーザ端末２００に対して返送する。Ｓ１２３において、ユーザ端末２００は会員登録用のフォームデータを受信し、ユーザは必要事項を入力してＷＥＢサーバ１２０に返信する。
【０１２２】
Ｓ１２４において、サーバ１００のＷＥＢサーバ１２０は、ユーザ端末２００から送信された会員登録用のフォームデータに入力された必要事項を付加情報ファイルサーバ１３０に保存し、登録受け付けが完了したことを知らせる完了通知と、画像を後から送信する旨の案内とをユーザ端末２００に送信する。Ｓ１２５において、ユーザ端末２００は、完了通知と案内を受信してユーザに対して表示し、画像転送処理を終了する。
【０１２３】
なお、一連の処理で会員登録を行ったユーザに対しては、後日、Ｓ１１６から同様の処理を行うことで会員画像の送付を行うことができる。
【０１２４】
（写真画像処理装置装置における表示画面の遷移）
次に、図５を参照して、写真シール機（写真画像処理装置）１における表示画面の遷移について説明する。図１のＳ１０１では、ユーザは所持するユーザ端末２００のメールアドレスの入力を行う。図５の９０ａは、メールアドレスの入力を行うための入力インタフェース画面である。サーバのアドレス、照合ＩＤ、およびサーバのアドレスを入力したメールプログラムを起動させる動作をＱＲコード（登録商標）化し、作成したＱＲコード（登録商標）を画面上に表示して、ユーザ端末２００のカメラ等で撮影することによって、メール送信画面をユーザ端末２００に表示させ、メールアドレスの手動入力に替えている。
【０１２５】
メールアドレスの入力が終了すると、図１のＳ１０１より前のステップで撮影し、背景画像の合成や落書きを終えておいた合成画像を図５の９０ｃのように画面に表示し、所定の枚数までユーザに選択させる。９０ｂでは、Ａ〜Ｆの６つの合成画像からいずれかをユーザに選択させている。所定の枚数の合成画像を選択した後、ユーザ端末２００の画面に戻り、ユーザは所持するユーザ端末２００を用いてメールの送信処理を行う。ユーザ端末２００では、９０ａにて表示されたＱＲコード（登録商標）を読み取ることによって、画面９０ｃのようなメールが作成される。ユーザはこの画面９０ｃを送信することで、ユーザ端末２００のメールアドレス入力に替えることができる。
【０１２６】
画面９０ｃのメールの送信を完了すると、サーバ１００は送信されたメールアドレスに対して画面９０ｄのようなメールを返信し、メールアドレスの登録が完了したことを通知する。その後、写真シール機１の表示画面は、９０ａの初期状態に遷移する。
【０１２７】
（ユーザ端末における表示画面の遷移）
次に、図６を参照して、ユーザが所持する携帯端末であるユーザ端末２００上での表示画面の遷移について説明する。図１のＳ１０９で写真シール機１から送信された画像を表示するためのＵＲＬが、画面９１ａのようにメールにＵＲＬが埋め込まれた形式で送信される。ユーザはユーザ端末２００を操作してこのＵＲＬを選択することでネットワークに接続し、ＷＥＢサーバ１２０から表示画面９１ｂの情報を受信する。
【０１２８】
画面９１ｂでは、ＷＥＢサーバ１２０上に用意されたユーザ用の携帯サイトのトップ画面が表示される。ユーザは無料画像のダウンロード、他の画像の表示、無料パズル、占い、オーディションに参加などのユーザ画像を用いたアトラクションに参加することができる。画面９１ｂで無料画像のダウンロードを選択した場合、ユーザ端末２００の表示画面は９１ｃに遷移する。画面９１ｂで他の画像の表示を選択した場合、表示画面は９１ｄに遷移する。
【０１２９】
画面９１ｃでは、無料画像の拡大表示を行い、無料画像のダウンロードを行う選択肢が表示される。ダウンロードを選択した場合、ユーザ端末２００のメモリ上に無料画像が保存される。画面９１ｄでは、会員画像である３つの画像が表示されている。会員画像には、それぞれ、撮影日が併記されている。今、２番目の会員画像が選択されたとき、ユーザが会員の場合には、９１ｈの表示画面に遷移する。ユーザが会員でない場合には、表示画面は９１ｅに遷移する。
【０１３０】
画面９１ｅでは、選択した画像が会員画像であることを案内し、会員登録フォームの画面９１ｆへ移動するリンクを表示する。リンクが選択された場合、画面は９１ｆに遷移する。画面９１ｆでは、名前、生年月日、都道府県、市町村、マンション名など、ユーザの会員登録に必要なデータを入力するためのフォームが表示される。必要事項をフォームに入力して送信することで、会員登録データがＷＥＢサーバ１２０に送信され、画面は会員登録完了を通知する画面９１ｇが表示された後、ブラウザは終了され、メール表示の初期画面９１ａに戻る。
【０１３１】
画面９１ｈでは、選択された２番目の会員画像の拡大表示を行い、ダウンロードを行う選択肢が表示される。ダウンロードを選択した場合、ユーザ端末２００のメモリ上に無料画像が保存される。
【０１３２】
次に、図７から図１２のフロー図を用いて、写真シール機１の各工程で行われる処理について、詳細を説明する。図７は、写真シール機１における全体の処理の流れを示すフロー図である。図８は、図７のＳ４で行われる事後接客処理について、詳細な処理の流れを示すフロー図である。図９は、サーバ１００で行われる処理の流れを示すフロー図である。図１０は、追加転送画像を決定する処理の流れを示すフロー図である。図１１は、ＷＥＢサーバ１２０上に登録された合成画像を表示するサイト閲覧処理の流れを示すフロー図である。図１２は、会員登録処理の流れを示すフロー図である。
【０１３３】
（写真撮影プリント装置における全体の処理の流れ）
まず、図７に示すフロー図を参照しながら、写真シール機１の動作フローについて説明する。最初に、プレイ開始の受付処理として、撮影画像表示部２４に待機状態のデモンストレーション画面が表示される。デモンストレーション画面には、写真シール機１のマシーン名称、略称、概略等の情報が含まれる。なお、このデモ画面において、「コインを投入してね」というような、ユーザにコイン投入を促すメッセージを表示してもよい。
【０１３４】
Ｓ１において、撮影空間に進入したユーザによりコイン投入がなされ、課金処理部による課金処理が終了すると、デモンストレーション画面を撮影処理用画面に切り替えて受付処理を完了する。
【０１３５】
Ｓ２において、次に、ユーザは撮影コースに基づいて、撮影空間で複数回の写真撮影を行う。この時ユーザは、カメラ画像表示部（ライブビュー表示パネル）２５に表示されている自身の姿を視認しながら、写真撮影をすることができる。
【０１３６】
Ｓ３において、次に、ユーザは撮影画像の中から編集処理対象の画像としてユーザが選択し、ここで選択された撮影画像が撮影画像記録部５１に記録される。なお、このＳ３の過程を省略して、撮影画像全てを編集処理対象としてもよい。この場合、Ｓ３の処理が省略できるため、編集処理をより長くすることが可能である。
【０１３７】
Ｓ４において、写真シール機１は、画像を画像保存サーバに送信するといった、事後接客処理を実行する。事後接客処理の詳細については、図９で説明する。
【０１３８】
Ｓ５において、最後に、写真シール機１においてシールの印刷処理が行われ、一連の処理が終了する。
【０１３９】
（写真画像処理装置における事後接客処理の流れ）
次に、図８に示すフロー図を参照しながら、本実施形態の写真シール機１における事後接客処理の動作フローについて説明する。
【０１４０】
Ｓ１１において、写真シール機１は、ユーザがユーザの携帯する端末への画像送信を希望したかどうか判断する。ユーザがユーザ端末２００への画像送信を希望した場合（Ｓ１１でＹＥＳ）、処理はＳ１２に進む。希望しない場合には（Ｓ１１でＮＯ）、処理はＳ１７へ進む。
【０１４１】
Ｓ１２において、写真シール機１の照合ＩＤ作成部３５は、現在、写真シール機１を使用しているユーザに対応付けられた照合ＩＤを設定する。Ｓ１３において、写真シール機１の二次元コード作成部３４は、照合ＩＤおよびサーバ１００のアドレスをコード化したＱＲコード（登録商標）を作成する。Ｓ１４において、写真シール機１の制御部１０は、撮影画像表示部２４に作成したＱＲコード（登録商標）を表示する。
【０１４２】
Ｓ１５において、写真シール機１は、ユーザに送信を希望する画像を選択させる（図５の９０ｂ）。Ｓ１６において、写真シール機１は、照合ＩＤおよびユーザの合成画像のデータを関連づけて、照合ＩＤ記憶部５７に保存する。Ｓ１７において、写真シール機１は、画像のサーバへの転送処理などを行わず、その他の様々なゲームを実施する。
【０１４３】
Ｓ１８において、写真シール機１は、必要に応じてサーバ１００に照合ＩＤおよび非会員画像データを送信し、事後接客処理を終了する。
【０１４４】
（画像保存サーバにおける処理の流れ）
次に、図９を用いて本実施形態のサーバ１００におけるデータの送受信やユーザ情報および合成画像の保存処理などの流れについて説明する。図９は、本実施形態のサーバ１００における処理の流れを示したフロー図である。
【０１４５】
Ｓ２１において、サーバ１００は、ユーザ端末２００または写真シール機１のいずれかからデータを受信したか判断する。データを受信した場合（Ｓ２１でＹＥＳ）、処理はＳ２２に進む。データを受信していない場合（Ｓ２１でＮＯ）、処理は最初に戻ってデータの受信待ち状態を繰り返す。
【０１４６】
Ｓ２２において、サーバ１００は、受信したデータが非会員データであるか、メールアドレスであるかを判断する。メールアドレスの場合（Ｓ２２でメールアドレス）、処理はＳ２３に進む。非会員データの場合（Ｓ２２で非会員データ）、処理はＳ２６へ進む。Ｓ２３において、追加転送画像決定処理を行う。追加転送画像決定処理の詳細については、別に説明する。
【０１４７】
Ｓ２４において、サーバ１００の登録等処理サーバ１４０は、登録完了メールを作成する。Ｓ２５において、サーバ１００は、Ｓ２４で作成した登録完了メールをユーザ端末２００に送信する。処理はＳ２７に進む。
【０１４８】
Ｓ２６において、画像ＤＢサーバ１１０は、非会員画像ファイルサーバ１１４に非会員画像を保存する。処理はＳ２７に進む。
【０１４９】
Ｓ２７において、サーバ１００は、メールアドレスと画像データの登録は終了したかどうか確認する。登録が終了した場合（Ｓ２７でＹＥＳ）、処理はＳ２８に進む。登録が終了していない場合（Ｓ２７でＮＯ）、処理はＳ２１に戻り、同様の処理を繰り返す。
【０１５０】
Ｓ２８において、サーバ１００の登録等処理サーバ１４０は、画像が保存されたフォルダへアクセスするためのＵＲＬなどのアクセス情報を作成する。なお、サイト閲覧処理のＡからの処理も、同様にＳ２８の処理へと進む。
【０１５１】
Ｓ２９において、サーバ１００のメールサーバ１６０は、アクセス情報を付加したメールをユーザ端末２００に対して送信する。Ｓ３０において、サーバ１００のＷＥＢサーバ１２０はユーザ端末２００に送信したアクセス情報から、ユーザによるアクセスが行われたか否かを確認する。
【０１５２】
ユーザ端末２００からのアクセスが確認された場合（Ｓ３０でＹＥＳ）、処理はＳ３１に進む。ユーザ端末２００からのアクセスが確認されない場合（Ｓ３０でＮＯ）、処理はＳ３０の最初に戻り、ユーザ端末２００からのアクセス待ち状態を繰り返す。Ｓ３１において、ＷＥＢサーバ１２０は、ユーザ端末２００によるサイトの閲覧処理に対応する画面を送信し、表示させる。なお、サイト閲覧処理の詳細については、後述する。
【０１５３】
（追加閲覧画像を決定する処理の流れ）
次に、図１０を用いて本実施形態における追加閲覧画像を決定する処理の流れについて説明する。図１０は、本実施形態のＷＥＢサーバ１２０におけるサイト表示処理の流れを示したフロー図である。
【０１５４】
Ｓ４１において、ＷＥＢサーバ１２０は、付加情報ファイルサーバ１３０にメールアドレスを登録させる。Ｓ４２において、ＷＥＢサーバ１２０は照合部１２６にメールアドレスを送信し、Ｓ４３において、照合部１２６は、登録会員ＤＢ１２４を参照してメールアドレスを確認し、会員であるか否かを判断する。メールアドレスが登録されていた場合（Ｓ４４でＹＥＳ）、処理はＳ４５に進む。メールアドレスが登録されていない場合（Ｓ４４でＮＯ）、処理はＳ４６に進む。
【０１５５】
Ｓ４５において、登録等処理サーバ１４０は、転送信号として「会員画像」を設定し、会員に対する画像を送信する転送信号を写真シール機１に送信させるよう設定する。Ｓ４６において、登録等処理サーバ１４０は、転送信号として「サムネイル画像」を設定し、非会員に対する画像を送信する転送信号を写真シール機１に送信させるように設定する。
【０１５６】
ここで非会員に対しても何も画像を送信しないのではなく、サムネイル画像を送信することで、会員になればサムネイルに表示されているような画像を受信することができることをアピールし、非会員を入会させるための動機付けとしている。
【０１５７】
Ｓ４７において、サーバ１００は写真シール機１に対して、転送信号およびメールアドレスを送信することで、転送信号およびメールアドレスに対応する合成画像を写真シール機１に送信させる。シール機１が受信した転送信号がサムネイルの場合、写真シール機１上で会員画像に複製およびサムネイル化の処理を施す。Ｓ４８において、サーバ１００は写真シール機１からＳ４７で送信した情報に対応する画像を受信する。
【０１５８】
なお、写真シール機１が受信した転送画像が会員画像の場合でも、写真シール機１上で同様の会員画像に複製やサムネイル化の処理を施すことができる。この場合、会員画像とともにそのサムネイルファイルも送信され、サーバ１００上でサムネイル化する処理を省略することもできる。
【０１５９】
Ｓ４９において、登録等処理サーバ１４０は、受信した画像が会員画像であるか否かを判断する。受信した画像が会員画像の場合（Ｓ４９でＹＥＳ）、処理はＳ５０に進む。受信した画像が会員画像でない場合（Ｓ４９でＮＯ）、処理はＳ５１に進む。
【０１６０】
Ｓ５０において、登録等処理サーバ１４０は、受信した会員画像のサムネイル画像を作成する。Ｓ５１において、画像ＤＢサーバ１１０は、受信した画像の種類に基づいて会員画像ファイルサーバ１１２、非会員画像ファイルサーバ１１４、サムネイル画像ファイルサーバ１１６のそれぞれに転送信号の画像および照合ＩＤの保存を行い、追加転送画像決定処理を終了する。
【０１６１】
（ＷＥＢサーバにおけるサイト閲覧処理の流れ）
次に、図１１を用いてＷＥＢサーバ１２０における合成画像を掲載したウェブサイトの閲覧処理の流れについて説明する。図１１は、ＷＥＢサーバ１２０におけるサイト表示処理の流れを示したフロー図である。
【０１６２】
Ｓ６１において、ＷＥＢサーバ１２０のデータ取得部１２８は、非会員画像ファイルサーバ１１４からユーザ画像を取得する。Ｓ６２において、ＷＥＢサーバ１２０のＷＥＢサーバ処理部１２９は、ユーザ画像が表示されたユーザ専用のトップページを表示する。
【０１６３】
Ｓ６３において、ＷＥＢサーバ処理部１２９は、ユーザが会員画像の閲覧を希望したかどうか判断する。ユーザが会員画像の閲覧を希望した場合（Ｓ６３でＹＥＳ）、処理はＳ６４へ進む。会員画像の閲覧を希望しない場合には（Ｓ６３でＮＯ）、処理はＳ６１へ進む。
【０１６４】
Ｓ６４において、データ取得部１２８は、照合ＩＤに基づいて表示するサムネイル画像を検索する。Ｓ６５において、ＷＥＢサーバ処理部１２９は、サムネイル画像の閲覧ページを表示する（図５の９１ｂ）。Ｓ６６において、ＷＥＢサーバ処理部１２９は、ユーザが会員画像のダウンロードを希望したか否かを判断する。
【０１６５】
ユーザがサムネイル画像を選択することで、対応する会員画像のダウンロードを希望した場合（Ｓ６６でＹＥＳ）、処理はＳ６７に進む。ユーザが会員画像のダウンロードを希望しない場合（Ｓ６６でＮＯ）、処理はＳ６１に進む。
【０１６６】
Ｓ６７において、データ取得部１２８は、照合ＩＤに基づいて会員画像の検索を行う。データ取得部１２８が該当する会員画像を見つけた場合（Ｓ６８でＹＥＳ）、処理はＳ６９に進む。会員画像を見つけられなかった場合（Ｓ６８でＮＯ）、処理はＳ７０の会員登録処理へと進む。会員登録処理の詳細については後述する。
【０１６７】
Ｓ６９において、ＷＥＢサーバ処理部１２９は、検索の結果該当した画像をユーザ端末２００に対して表示させる（図６の９１ｃまたは９１ｈ）。Ｓ７０で会員登録処理が完了した後、処理は図９のＡに進みサーバ処理が続行される。
【０１６８】
Ｓ７１において、ユーザが非会員画像の閲覧を希望した場合（Ｓ７１でＹＥＳ）、処理はＳ７９へ進む。非会員画像の閲覧を希望しなかった場合（Ｓ７１でＮＯ）、サイト閲覧処理は終了する。
【０１６９】
（ユーザの会員登録処理の流れ）
次に、図１２を用いて本実施形態におけるユーザの会員登録処理の流れについて説明する。図１２は、本実施形態におけるＷＥＢサーバ１２０で実行される会員登録処理の流れを示したフロー図である。
【０１７０】
Ｓ８１において、ＷＥＢサーバ処理部１２９は、会員登録部１２２で作成された会員登録用フォームを読み出して、Ｓ８２においてユーザ端末２００に対して送信を行う（図６の９１ｅおよび９１ｆ）。Ｓ８３において、ＷＥＢサーバ処理部１２９は、ユーザ端末２００で会員登録に必要な情報が入力されたフォーム情報を受信する。
【０１７１】
Ｓ８４において、会員登録部１２２は、Ｓ８３で受信した会員登録用のフォーム情報に空欄などの記載不備がないか確認を行う。不備があった場合（Ｓ８４でＮＯ）、Ｓ８６に進み、再度、会員登録用のフォーム情報を入力するようにユーザ端末２００に対して指示し、処理はＳ８３に戻る。不備がなかった場合（Ｓ８４でＹＥＳ）、処理はＳ８５に進む。
【０１７２】
Ｓ８７において、ＷＥＢサーバ処理部１２９は、ユーザ端末２００に対して会員登録が完了したことを通知する画面を表示させる（図６の９１ｇ）。Ｓ８８において、登録等処理サーバ１４０は、該当するユーザの転送信号を「会員画像」に変更し、今後当該ユーザに会員画像が送信されるように設定する。
【０１７３】
Ｓ８９において、サーバ１００内のＦＴＰサーバ１５０は、写真シール機１に対して転送信号およびメールアドレスに基づいて合成画像を転送するように指示する。Ｓ９０において、ＦＴＰサーバ１５０は、写真シール機１からユーザに対応する画像を受信する。Ｓ９１において、画像ＤＢサーバ１１０は、転送信号を送信して写真シール機１から受信した合成画像および照合ＩＤを対応する画像ファイルサーバに保存し、会員登録処理を終了する。
【０１７４】
（写真撮影プリント装置の外観的構成）
次に、写真シール機１の外観構成について、図１３（ａ）および図１３（ｂ）を参照しながら以下に説明する。この写真シール機１は、ユーザの写真を撮影する撮影部２と、撮影した写真（撮影画像）に対して落書きなどの編集をユーザに行わせる編集部３と、ユーザが編集を行った写真（編集画像）をプリント紙に出力する印刷部４とを有している。図１３（ａ）は写真シール機１における撮影部２側からの外観を示し、図１３（ｂ）は編集部３および印刷部４側からの外観を示している。
【０１７５】
図１４は、第１の編集部３ａの正面図である。なお、第２の編集部３ｂの構成は、第１の編集部３ａと同様であるので、ここでは図示しない。第２の編集部３ｂは、第１の編集部３ａの対面に設けられている。以下では、二つを区別する必要が無い場合は、まとめて編集部３として説明する。
【０１７６】
編集部３は、ユーザが撮影部２による撮影工程を終了した後に、撮影画像に対して落書きなどの編集工程を実行するためのものであり、タッチパネル部３１、タッチペン３２、および、音声出力部３３などで構成される。編集部３の各部は、制御部１０によって制御される。上述の各部の詳細については後述する。
【０１７７】
図１５は、印刷部４の正面図である。本実施形態では、編集部３の側面に印刷部４を設けており、したがって、図１４は、編集部３の側面を表している。印刷部４は、ユーザが編集部３による編集工程を終了した後の編集画像をシール紙にプリントして、プリントしたシール紙を排出するものである。本実施形態では、編集部３側面に、プリント排出口４４ａおよび４４ｂが設けられており、第１の編集部３ａにて編集が行われた編集画像のシール紙は、プリント排出口４４ａから排出され、第２の編集部３ｂにて編集が行われた編集画像のシール紙は、プリント排出口４４ｂから排出される。
【０１７８】
上述のような構成の写真シール機１において、ユーザは、まず撮影部２が備えられた撮影空間に入って撮影工程を実行し、その後、編集部３（第１の編集部３ａまたは第２の編集部３ｂ）が備えられた編集空間に移動して編集工程を実行し、印刷部４により撮影画像または編集画像（合成画像）のプリントされたシール紙をプリント排出口４４ａ・４４ｂから受け取る、という流れでゲームの一連の工程を楽しむ。また、ユーザがユーザ端末２００のメールアドレスを写真シール機１に登録（入力）することで、後に、ユーザ端末２００で上記合成画像をサーバ１００から取得することができる。
【０１７９】
以上のように、写真シール機１は、撮影部２と編集部３とが別の空間に設けられている。よって、一組のユーザが編集部３において編集処理を行っている時でも、他のユーザが撮影処理を開始することが可能となっている。これにより、回転率を向上させることが可能である。
【０１８０】
また、編集部３における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【０１８１】
また、本実施形態に係る写真シール機１は図１３（ａ）および図１３（ｂ）に示すとおり、編集部３を２つ備える構造となっており、第１の編集部３ａと第２の編集部３ｂとが対面に設置されている。このように、編集部３を撮影部２よりも多く設けることで、ボトルネックとなっている編集工程に係る処理時間を分散し、回転率を向上させることが可能である。しかし、本発明の写真シール機１は、上述の構成に限定されない。編集部３の設置位置は特に限定しないし、また、設置数も、編集部３を１つ設ける構成としてもよいし、設置場所が確保できれば、３つ以上の編集部３を設けるようにしてもよい。
【０１８２】
以上のように、本実施形態の画像転送システムは、被写体を撮影した撮影画像に装飾画像を合成した合成画像を形成する写真シール機１と、写真シール機１から送信された合成画像を保存するサーバ１００と、サーバ１００に保存された合成画像を参照するユーザ端末２００とを備えた画像転送システムである。
【０１８３】
写真シール機１が、ユーザを識別するための照合ＩＤを作成する照合ＩＤ作成手段と、ユーザ端末２００に対して、照合ＩＤ、および、サーバ１００にアクセスするためのアクセス情報を送信するアクセス情報送信手段と、サーバ１００に対して、照合ＩＤ、および、所定のユーザ端末２００に対して送信する合成画像であるユーザ画像を送信する画像送信手段とを備えている。
【０１８４】
ユーザ端末２００が、照合ＩＤ、および、アクセス情報を受信する受信手段と、アクセス情報に基づいて、サーバ１００に対して照合ＩＤ、および、ユーザ端末２００のメールアドレスを送信する送信手段とを備えている。
【０１８５】
サーバ１００が、写真シール機１から受信した照合ＩＤおよびユーザ画像と、ユーザ端末２００から受信した照合ＩＤおよびメールアドレスとに基づいて、ユーザ画像および識別情報を関連付けて保存する画像保存手段を備えている。
【０１８６】
上記の構成によれば、まず、写真シール機１からユーザ端末２００に対してサーバ１００にアクセスするためのアクセス情報が送信されるので、写真シール機１を現在使用し、ユーザ端末を所有しているユーザは、写真シール機１から自身の所有するユーザ端末２００に対して必要な情報が送信されていることを、ユーザ画像がサーバ１００に保存される前に確認することができる。
【０１８７】
さらに、ユーザ端末２００からメールを送信することで、写真シール機１を使用しているユーザは、写真シール機１上でメールアドレスを入力する必要なく、サーバ１００に対してメールアドレスを通知することができる。
【０１８８】
これによって、写真シール機１およびサーバ１００は、ユーザに対して適切なタイミングで適切なデータを送信することができる。
【０１８９】
本実施形態の画像転送システムでは、合成画像の転送を要求するユーザが、所定の複数のグループのいずれに属するかを判断する判断手段を備え、写真シール機１の通信処理部１４が、判断手段の判断結果に基づいて、ユーザ画像のうち、該ユーザが属するグループに対応して送信する種類のユーザ画像をサーバ１００に送信している。
【０１９０】
上記の構成によれば、ユーザの属するグループに対応して、複数の種類の合成画像をサーバ１００に転送するので、転送すべき全ての種類の合成画像が転送されるまで合成画像を参照するためのサーバ１００に対するアクセス情報をユーザ端末２００に送信することができないため、一つのグループに対して合成画像を送信する場合と比較して、ユーザ端末２００に必要な情報が伝えられるまでにさらに長い時間を要する。そのため、ユーザに対して適切なタイミングで適切なデータを送信することができる。
【０１９１】
本実施形態の画像転送システムでは、写真シール機１は、撮影画像表示部２４をさらに備え、写真シール機１の通信処理部１４は、上記アクセス情報をコード化したＱＲコード（登録商標）を撮影画像表示部２４に表示させ、ユーザ端末２００は、撮影手段さらに備え、ユーザ端末２００の受信手段は、写真シール機１の撮影画像表示部２４に表示されたＱＲコード（登録商標）を上記撮影手段によって撮影することで、上記アクセス情報を受信することが好ましい。
【０１９２】
上記の構成によれば、写真シール機１の撮影画像表示部２４にアクセス情報をコード化したＱＲコード（登録商標）を表示し、ユーザ端末の撮影手段でＱＲコード（登録商標）を撮影することでアクセス情報を受信することができるので、ユーザにメールアドレスなどの識別情報や、サーバにアクセスするためのアクセス情報などの情報を操作入力させる手間を省いて、必要な情報の送受信か可能である効果を奏する。
【０１９３】
本実施形態の画像転送システムでは、ユーザ端末２００の送信手段は、識別情報として当該ユーザ端末２００のメールアドレスを用いている。
【０１９４】
上記の構成によれば、ユーザ端末２００のメールアドレスをユーザ識別情報として用いるので、メールアドレスとは別の、会員番号やユーザＩＤなどのユーザ登録をユーザは行う必要なく、ユーザ端末２００に直接、通知内容を送信することができる。
【０１９５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１９６】
（ソフトウェアによる構成）
最後に、上記写真シール機１が備える制御部１０は、ハードウェアロジックによって構成してもよいし、次のようにＣＰＵを用いてソフトウェアによって実現してもよい。
【０１９７】
すなわち、制御部１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部１０の制御プログラムのプログラムコード（実行形式プログラム、中間コードプログラム、ソースプログラム）をコンピュータで読み取り可能に記録した記録媒体を、上記制御部１０に供給し、そのコンピュータ（またはＣＰＵやＭＰＵ）が記録媒体に記録されているプログラムコードを読み出し実行することによっても、達成可能である。
【０１９８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９９】
また、制御部１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２００】
本発明によれば、写真シール機１およびサーバ１００を備えた画像転送システムにおいて、写真シール機１からユーザ端末２００に対してサーバ１００にアクセスするためのアクセス情報が送信されるので、写真シール機１を現在使用し、ユーザ端末２００を所有しているユーザは、写真シール機１から自身の所有するユーザ端末２００に対して必要な情報が送信されていることを、ユーザ画像がサーバ１００に保存される前に確認することができる。さらに、ユーザ端末２００から識別情報を送信することで、写真シール機１を使用しているユーザは、写真シール機１上で識別情報を入力する必要なく、サーバ１００に対して識別情報を通知することができる。これによって、写真シール機１およびサーバ１００は、ユーザに対して適切なタイミングで適切なデータを送信することができるので、ユーザフレンドリーなインタフェースを持つ画像転送システム、写真シール機１、およびサーバ１００を実現することができる。
【図面の簡単な説明】
【０２０１】
【図１】本発明の実施形態を示すものであり、画像転送システムにおける写真シール機から合成画像情報および付加情報を受信した際のデータおよび処理の流れを示すフロー図である。
【図２】上記画像転送システムの概略構成を示すブロック図である。
【図３】上記画像転送システムＷＥＢサーバの概略構成を示すブロック図である。
【図４】上記写真シール機の機能的な構成を示すブロック図である。
【図５】上記写真シール機における表示画面の遷移について説明する概略図である。
【図６】上記画像転送システムにおけるユーザが所持するユーザ端末上での表示画面の遷移について説明する概略図である。
【図７】写真シール機における全体の処理の流れを示すフロー図である。
【図８】図７のＳ４で行われる事後接客処理について、詳細な処理の流れを示すフロー図である。
【図９】サーバで行われる処理の流れを示すフロー図である
【図１０】追加転送画像を決定する処理の流れを示すフロー図である。
【図１１】ＷＥＢサーバ上に登録された合成画像を表示するサイト閲覧処理の流れを示すフロー図である。
【図１２】会員登録処理の流れを示すフロー図である。
【図１３】（ａ）及び（ｂ）は、上記写真シール機の外観を示す図である。
【図１４】上記写真撮影プリント装置の編集部の正面図である。
【図１５】上記写真撮影プリント装置の印刷部の正面図である。
【符号の説明】
【０２０２】
１      写真シール機（写真撮影プリント装置）
２      撮影部
３      編集部
３ａ    第１の編集部
３ｂ    第２の編集部
４      印刷部
１０    制御部
１１    撮影画像取得部
１２    画像編集部
１３    印刷画像作成部
１４    通信処理部（通信手段）
１５    背景制御部
１６    オプション判別部
１７    提示制御部
２０    画像検索部
２１    硬貨処理部
２２    照明部
２３    カメラ部
２４    撮影画像表示部（表示手段）
２５    カメラ画像表示部
２６    操作部（所属情報入力手段）
２７    カーテン部
２８    有料送信ユーザ照合部
３１    タッチパネル部（所属情報入力手段）
３１ａ  編集画像表示部
３１ｂ  操作受付部
３２    タッチペン
３３    音声出力部
３４    二次元コード作成部
３５    照合ＩＤ作成部（照合ＩＤ作成手段）
４１    ＩＤタグリーダ／ライタ部
４２    プリンタ部
４３    シール紙ユニット
４４ａ  プリント排出口
４４ｂ  プリント排出口
５０    記録部
５１    撮影画像記録部
５２    編集用画像記録部
５３    合成画像情報記録部
５４    印刷画像記録部
５５    サムネイル記憶部
５６    メールアドレス記憶部
５７    照合ＩＤ記憶部
１００  サーバ（画像保存サーバ）
１１０  画像ＤＢサーバ
１１２  会員画像ファイルサーバ
１１４  非会員画像ファイルサーバ
１１６  サムネイル画像ファイルサーバ
１２０  ＷＥＢサーバ
１２２  会員登録部
１２６  照合部（判断手段）
１２８  データ取得部
１２９  ＷＥＢサーバ処理部
１３０  付加情報ファイルサーバ
１４０  登録等処理サーバ
１４１  ＩＤタグ
１４２  シール紙
１４６  非会員画像ファイルサーバ
１５０  ＦＴＰサーバ
１６０  メールサーバ
１７０  有料送信ユーザ記録部
１８０  圧縮部
２００  ユーザ端末
【図１】
2008191714.tif 000003
【図２】
2008191714.tif 000004
【図３】
2008191714.tif 000005
【図４】
2008191714.tif 000006
【図５】
2008191714.tif 000007
【図６】
2008191714.tif 000008
【図７】
2008191714.tif 000009
【図８】
2008191714.tif 000010
【図９】
2008191714.tif 000011
【図１０】
2008191714.tif 000012
【図１１】
2008191714.tif 000013
【図１２】
2008191714.tif 000014
【図１３】
2008191714.tif 000015
【図１４】
2008191714.tif 000016
【図１５】
2008191714.tif 000017